(57)【要約】
【課題】　簡易な構造で、既存衣装ケースの一の外ケース内に、複数個のトレーを設置する。
【解決手段】　外ケース２と、一対のレールプレート３，３と、複数個のトレー１，１…を備える。外ケース２は、前方に開口した内部中空のボックスである。レールプレート３は、外ケース２の左右両側面に設けられ、前後方向に沿うレール６が上下に複数個形成された板材である。トレー１は、左右のレールプレート３，３の対応するレール６，６に保持され、レールに沿って進退可能に設けられる。
【選択図】　　　図２
0003099678.tif 000002
【実用新案登録請求の範囲】
【請求項１】
前方に開口した内部中空の外ケースと、
　この外ケースの左右両側面に設けられ、前後方向に沿うレールが上下に複数個形成された左右一対の板状のレールプレートと、
　左右のレールプレートの対応するレールに保持され、レールに沿って進退可能に設けられる複数個のトレーと
　を備えることを特徴とする衣装ケース。
【請求項２】
　前記外ケースの左右両側面に設けられる一対のレールプレートは、互いに対面し合う面に、外ケースの左右方向内側へ向けて水平に突出して、前記レールが一体形成されており、
　このレールは、レールプレートの上下方向に離間して複数個形成されると共に、それぞれ前後方向に延出して形成されており、
　左右のレールプレートの対応するレール上に、レールに沿って前後方向に進退可能にトレーが保持され、
　各トレーの後方側面には、左右方向外側に突出してスライド片が設けられており、
　各レールの前端部には、引き出されたトレーのスライド片に当接することで、それ以上のトレーの引き出しを阻止するストッパーが形成されている
　ことを特徴とする請求項１に記載の衣装ケース。
【請求項３】
　複数個の外ケースを上下に連結して積み重ね可能とされた衣装ケースに適用され、
　その内の少なくとも一の外ケースの左右両側面に、前記レールプレートが設けられることで、当該一の外ケース内に複数個のトレーが設けられた
　ことを特徴とする請求項２に記載の衣装ケース。
【請求項４】
　前記外ケースの左右内側面の下部には、左右方向内側に突出する平板状のレール片が前後方向に沿って形成されており、
　このレール片は、後端部において切り欠かれており、
　このレール片の切欠きを介して、トレーはそのスライド片をレール片よりも下方に配置した状態で、レール片の上面又は外ケースの内底面に進退可能に保持され、
　レール片の前端部には、引き出されたトレーのスライド片に当接することで、それ以上のトレーの引き出しを阻止するストッパー片が形成されており、
　レールプレートのレール及びストッパーは、外ケースのレール片及びストッパー片と上下に離間した対応位置に設けられ、
　最下段のトレーは、外ケースのレール片に設けられ、それより上方の各トレーは、レールプレートのレールに設けられる
　ことを特徴とする請求項２又は請求項３に記載の衣装ケース。
【請求項５】
　前方に開口した内部中空の外ケース一つに対し、一つのトレー又は引出しが進退可能に設けられる衣装ケースに適用され、
　外ケースの左右両側壁の内側空間部に前記レールプレートを配置することで、前記既設のトレー又は引出しに代えて、一の外ケースに複数個のトレーが設けられる
　ことを特徴とする請求項１から請求項４までのいずれかに記載の衣装ケース。
【考案の詳細な説明】
【技術分野】
【０００１】
　本考案は、畳んだシャツの収納などに用いられる衣装ケースに関するものである。
【背景技術】
【０００２】
　従来から家庭では、押入れなどに衣装ケースを設置して、衣服や雑貨を収納することが行われている。従来の衣装ケースは、前方に開口したボックス形の外ケースが、上下方向に複数段（例えば３段）積み重ねられて連結され、各外ケースには引出しが進退可能に設けられている。なお、各外ケースに設けられる引出しは、上方にのみ開口したボックス状で、前面には把手が形成されている。また、出願人は先に、下記特許文献１に示すように、前記衣装ケースの引出しに代えて、トレーを設けることを提案している。
【特許文献１】特開２００２−３２５６６４号公報
【考案の開示】
【考案が解決しようとする課題】
【０００３】
　しかしながら、従来の構造では、引出しの底の方に収納した衣服を取り出しにくい。そのため、浅めのトレーを上下に複数個設置したいが、従来の構造では、一つの外ケースに一つの引出し又はトレーしか設置できなかった。複数個の引出しやトレーを設置するには、外ケースを上下に複数重ねる必要があるが、その場合には嵩張る不都合があった。さらに、一の外ケースに複数個のトレーを設置するために、外ケースの設計を変更することは、コスト的負担が大きい。
【０００４】
　本考案は、上記事情に鑑みてなされたものであり、その主たる目的は、簡易な構造で、一の外ケース内に複数個のトレーを設置することにある。そして好ましくは、既存の衣装ケースに適用可能な構造を提供することにある。
【課題を解決するための手段】
【０００５】
　上記目的を達成するために、本考案の衣装ケースは、（Ａ）前方に開口した内部中空の外ケースと、（Ｂ）この外ケースの左右両側面に設けられ、前後方向に沿うレールが上下に複数個形成された左右一対の板状のレールプレートと、（Ｃ）左右のレールプレートの対応するレールに保持され、レールに沿って進退可能に設けられる複数個のトレーとを備えることを特徴とする。
【０００６】
　また好ましくは上記構成に加えて、前記外ケースの左右両側面に設けられる一対のレールプレートは、互いに対面し合う面に、外ケースの左右方向内側へ向けて水平に突出して、前記レールが一体形成されており、このレールは、レールプレートの上下方向に離間して複数個形成されると共に、それぞれ前後方向に延出して形成されており、左右のレールプレートの対応するレール上に、レールに沿って前後方向に進退可能にトレーが保持され、各トレーの後方側面には、左右方向外側に突出してスライド片が設けられており、各レールの前端部には、引き出されたトレーのスライド片に当接することで、それ以上のトレーの引き出しを阻止するストッパーが形成されていることを特徴とする衣装ケースである。
【０００７】
　また、上記構成に加えて、複数個の外ケースを上下に連結して積み重ね可能とされた衣装ケースに適用され、その内の少なくとも一の外ケースの左右両側面に、前記レールプレートが設けられることで、当該一の外ケース内に複数個のトレーが設けられたことを特徴とする衣装ケースである。
【０００８】
　また上記いずれかの構成に加えて、前記外ケースの左右内側面の下部には、左右方向内側に突出する平板状のレール片が前後方向に沿って形成されており、このレール片は、後端部において切り欠かれており、このレール片の切欠きを介して、トレーはそのスライド片をレール片よりも下方に配置した状態で、レール片の上面又は外ケースの内底面に進退可能に保持され、レール片の前端部には、引き出されたトレーのスライド片に当接することで、それ以上のトレーの引き出しを阻止するストッパー片が形成されており、レールプレートのレール及びストッパーは、外ケースのレール片及びストッパー片と上下に離間した対応位置に設けられ、最下段のトレーは、外ケースのレール片に設けられ、それより上方の各トレーは、レールプレートのレールに設けられることを特徴とする衣装ケースである。
【０００９】
　或いは、上記いずれかの構成に加えて、前方に開口した内部中空の外ケース一つに対し、一つのトレー又は引出しが進退可能に設けられる衣装ケースに適用され、外ケースの左右両側壁の内側空間部に前記レールプレートを配置することで、前記既設のトレー又は引出しに代えて、一の外ケースに複数個のトレーが設けられることを特徴とする衣装ケースである。
【考案の効果】
【００１０】
　以上詳述したように、本考案によれば、簡易な構造で、一の外ケース内に複数個のトレーを設置することができる。また、レールプレートにより実現するので、既存の衣装ケースに適用することもできる。
【考案を実施するための最良の形態】
【００１１】
　以下、本考案の衣装ケースについて、図面を参照しながら更に詳細に説明する。
　図１は、本考案の衣装ケースの一実施例を示す斜視図であり、トレー（引出し）１を手前に引き出した状態を示している。また、図２は、本実施例の衣装ケースにおいて、トレー１を取り外した状態を示し、外ケース２と左右のレールプレート３，３を示す分解斜視図である。さらに、図３は、トレー１を底面側から見た斜視図である。そして、図４及び図５は、本実施例の衣装ケースにおいて、トレー１を収納した状態の縦断面図であり、図４は図１におけるＸ−Ｘ断面図、図５は図１におけるＹ−Ｙ断面図である。
【００１２】
　これらの図に示すように、本実施例の衣装ケースは、外ケース２と、外ケース内の左右両側面に設けられる左右一対のレールプレート３，３と、外ケース内に引き出し可能に設けられる複数個（図示例では５つ）のトレー１，１…を備えている。
【００１３】
　外ケース２は、前方（手前側）に開口した中空のボックス形状である。本実施例では、少なくとも前方及び上方に開口したボックス状とされ、図４及び図５に示すように、上面の周端縁に蓋４がはめ込まれて設けられる。なお、本実施例では外ケース２は、一段だけであるが、複数個の外ケース２を上下に積み重ね可能としてもよい。その場合、一の蓋付き外ケース２上面に、別の外ケース２を単に載置する構成でもよいが、その上下の外ケース２，２同士を互いに連結するのが好ましい。
【００１４】
　すなわち、一の外ケース２の上面に蓋４を設ける代わりに、他の外ケース２の下端縁をはめ込んで連結し、最上段の外ケース２の上面のみに蓋４を設ける構成とすることができる。複数個の外ケース２を上下に積み重ねて衣装ケースを構成した場合には、少なくとも一の外ケース２に本考案の多段トレー取付構造が適用されて複数個のトレー１が設けられる。他の外ケース２は、従来どおり一つの外ケース２に一つの引出し又はトレーが設けられる構成であってもよいし、本考案の多段トレー取付構造により複数個のトレー１を設けてもよい。なお、最下段の外ケース２の底面には、キャスターを設けることもできる。
【００１５】
　多段トレー取付構造が適用される外ケース２は、上記特許文献１に記載した従来のトレー式衣装ケースの外ケースとほぼ同様の構成とされている。図示例では、外ケース２の左右両側壁は、それぞれ外面が平板状とされ、その上端縁には左右方向内側へ水平に延出して上片２ａが一体形成されている。そして、この上片２ａには上述したように蓋４などへの係合部２ｂが形成されている。
【００１６】
　また、外ケース２の左右両側壁の内面下部には、段部２ｃが形成されており、この段部２ｃの上面は水平面とされ、外ケース２の前後方向に延びて形成されている。なお、段部２ｃの上面は、外ケース２の底板２ｄ上面よりも僅かに上方に配置されている。この段部２ｃと前記上片２ａとにより、外ケース２の左右両側壁の内面には、左右方向内側に開口して浅い空間部２ｅが形成される。この空間部２ｅには、後述の板状のレールプレート３が収容可能とされる。
【００１７】
　さらに、外ケース２の左右両側壁の内面下部には、前記段部２ｃの上面が更に左右方向内側へ突出することで、板状のレール片２ｆが一体形成されている。このレール片２ｆは、外ケース２の長手方向（前後方向）に延びて形成されている。但し、このレール片２ｆは、外ケース２の後方において切り欠かれた形状とされている。つまり、レール片２ｆは、外ケース２の長手方向半分よりやや後方へ延出した後は、形成されずに終端している。この切欠き部２ｇからトレー１に形成されたスライド片５を通すことで、外ケース２のレール片２ｆ下部にスライド片５を配置した状態で、外ケース２にトレー１を設けることができる。
【００１８】
　外ケース２の下部には、前記レール片２ｆに沿って進退可能にトレー１が設けられるが、そのトレー１が所定以上に引き出されないように、レール片２ｆの前端部にはストッパー片（不図示）が形成されている。本実施例のストッパー片は、レール片２ｆの前端部が下方へ延出することにより形成される。
【００１９】
　外ケース２の左右内側面に設けられる各レールプレート３は、図２に示すように、長方形状の板状である。図示例のレールプレート３は、その外周縁に、外ケース２の外面側への延出部３ａ〜３ｄが形成されている。この延出部３ａ〜３ｄの長さ（レールプレート３の厚さ）は、前記外ケース２の左右両側壁の段部２ｃと上片２ａにより形成された空間部２ｅに対応した厚さとされている。また、レールプレート３の上下高さは、前記空間部２ｅの高さに対応している。そして、レールプレート３の前後方向長さは、外ケース２の前後方向長さよりも短く形成されている。
【００２０】
　レールプレート３は、外ケース２の左右両側壁内面の空間部２ｅに収容されて固定される。この際、外ケース２に形成したレール片２ｆよりも前後にやや延出して設けられる。レールプレート３の上下両端縁には、それぞれ突部３ｅが形成されているので、この突部３ｅを外ケース２の左右両側壁の上片２ａや段部２ｃに形成した穴に係合すればよい。
【００２１】
　本実施例では、レールプレート３の上端縁３ａには、前後両端部とその中央部に、側面視において半円形状の板状の突部３ｅが形成される一方、これと対応したレールプレート３の下端縁には、微小な突部（不図示）が形成されている。下側の突部はテーパ状に形成されており且つ微小であるから、上側の突部３ｅを上片２ａへ係合した後、下側の突部（不図示）を段部２ｃの穴へ無理嵌めして、外ケース２の左右両側壁にレールプレート３を取り付けることができる。
【００２２】
　左右のレールプレート３には、外ケース２の内側へ向けて僅かに突出して、レール６が一体形成されている。レールプレート３には、上下に離間して複数個のレール６が形成されており、各レール６は前後方向に延出して水平に形成されている。このようにして、本実施例では、上下に等間隔に４つのレール６が形成されている。なお、図示例では、各レール６の下部には前後二箇所に、それぞれ前後方向に細長い四角形状の開口７，７を形成している。この各開口部７の周縁には、レールプレート３の外面（左右方向外側面）側へリブ８が形成されている。リブ８の突出長さは、外周縁の延出部３ａ〜３ｄと同じ幅寸法である。
【００２３】
　レールプレート３の各レール６の前端部には、略Ｌ字形状に下方へ突出して、ストッパー９が一体形成されている。レールプレート３のストッパー９は、外ケース２のストッパー（不図示）と同様の機能を果たすものである。
【００２４】
　ところで、レール６は、左右のレールプレート３，３の互いに対応した位置に形成されている。また、レールプレート３のレール６は、外ケース２のレール片２ｆと対応した位置に配置される。つまり、外ケース２にレールプレート３が取り付けられた状態では、外ケース２のレール片２ｆとレールプレート３の各レール６は、それぞれ上下方向に等間隔で配置される。しかも、外ケース２のレール片２ｆとレールプレート３の各レール６は、ほぼ同一形状であり、上下に離間して対応位置に配置される。また、外ケース２のレール片２ｆとレールプレート３の各レール６は、それぞれ前端部に形成したストッパー９の位置も対応させて上下に配置される。
【００２５】
　外ケース２のレール片２ｆとレールプレート３の各レール６に配置される各トレー１は、本実施例では同一形状のものが使用される。本実施例の各トレー１は、図１及び図３に示されるように、上方に開口した四角形状の浅いボックスであり、前面上部が切り欠かれることで把手が形成されている。
【００２６】
　トレー１後方の左右両側面には、左右方向外側へ突出してスライド片５が設けられている。本実施例のトレー１では、トレー１の底面の外周部に沿って、下方へ延出して垂直壁１０が一体形成されており、その垂直壁１０の左右両側面１０ａ，１０ａに形成されている。なお、左右の垂直壁１０ａ，１０ａ同士の左右方向幅寸法は、トレー本体の左右方向幅寸法よりもやや幅狭になっており、これによりトレー１の左右両側壁の下部には段が形成されている。
【００２７】
　スライド片５は、左右の垂直壁１０ａの外面に、左右方向外側へ水平に延出して形成されており、前後に細長い四角形状の板状である。スライド片５の前後方向の長手寸法は、レール片２ｆやレール６の後方に形成される空間（切欠き部２ｇ）の長さよりも短い。両スライド片５，５の左右方向外側端部同士の間隔は、レール片２ｆ（レール６）の切欠き部同士の離間距離より狭く、レール片２ｆ（レール６）同士の離間距離より広く形成されている。
【００２８】
　左右両側面にレールプレート３が取り付けた外ケース２には、トレー１が設けられる。最下段のトレー１は、外ケース２のレール片２ｆに沿って進退可能に設けられる。これには、外ケース２の内側下部にトレー１を奥まで十分挿入した後、下方へ落とし込めばよい。これにより、レール片２ｆ後部の切欠き部２ｇに、トレー１のスライド片５が通されて、トレー１の下部が外ケース２の底面２ｄ又はレール片２ｆの上面に保持される。
【００２９】
　その状態では、レール片２ｆの下方にスライド片５を通過させつつ、トレー１を引き出すことができる。トレー１を必要以上に引き出そうとすると、スライド片５の前端部がストッパー（不図示）に当たって、それ以上のトレー１の引き出しが阻止される。しかも、スライド片５はレール片２ｆより下方へ配置されているので、外ケース２からトレー１が脱落するおそれはない。
【００３０】
　外ケース２のレール片２ｆにトレー１を設けたのと同様にして、レールプレート３の各レール６にもトレー１を進退可能に設けることができる。すなわち、各レール６の上面に沿って、トレー１を十分奥まで差し込んだ後、トレー１を落とし込めばよい。これにより、トレー１のスライド片５がレール６後方の空間を介して、レール６よりも下方位置に配置された状態で、レール６上にトレー１の底面左右両端部が保持される。この際、垂直壁１０ａより外側の段部底面１０ｂがレール６上に載置される。
【００３１】
　その状態では、レール６の下方でスライド片５を通過させつつ、トレー１を引き出すことができる。トレー１を必要以上に引き出そうとすると、スライド片５の前端部がストッパー９に当たって、それ以上のトレー１の引き出しが阻止される。しかも、スライド片５はレール６より下方へ配置されているので、外ケース２からトレー１が脱落するおそれはない。
【００３２】
　このようにして、一つの外ケース２内に、複数個のトレー１がレール片２ｆ又はレール６に沿って進退可能に保持される。しかも、ストッパー９によって、所定以上の引き出しが阻止される。各トレー１は、例えば折り畳んだシャツの収納に適し、５段のトレー１に一週間分のシャツをストックすることができる。シワがつかず、型崩れしにくいので、整然と収納することができる。一枚のトレー１に例えば２〜３枚のシャツをすっきり収納して、サッと取り出し、サッと収納することができる。このように、比較的浅いトレー１を用いたので、収納や取出しが容易である。
【００３３】
　しかも、外ケース２は、従来の衣装ケースの外ケースを使用することもできる。その場合には、既存の衣装ケースに積み重ねて使用でき、家庭のクローゼットや押入れ内などの収納スペースの有効利用が可能で、使用用途や収納量に合わせてシステム化することができる。
【００３４】
　以上のように、レールプレート３を外ケース２の左右両側壁に差し込むだけで、多段用のレール６ができ、トレー１を複数設置することができる。スライド式トレー１であるから、シャツや収納物の出し入れがスムーズに行える。既存の衣装ケースの外ケース２との互換性によれば、システム化した収納が可能である。しかも、トレー１は外ケース２に対し着脱可能であるから、例えば厚手の衣服を収納する際には、段数を減らすなどして、収納物に応じた使用ができる。また、ストッパー９によりトレー１の脱落が防止されるので、安全に使用することができる。
【００３５】
　なお、本考案の衣装ケースは、上記実施例の構成に限らず、適宜変更可能である。例えば、上記実施例では、レール６を等間隔に配置して、同一形状のトレー１を配置した例について説明したが、レール６の間隔を変えてもよい。その場合には、トレー１の大きさを変えてもよい。また、上記実施例では、レール６にはトレー１を設置した例について説明したが、トレー１と言っても引出し形状のものであってもよい。つまり、トレー１に代えて引出しを設置することもできる。
【図面の簡単な説明】
【００３６】
【図１】本考案の衣装ケースの一実施例を示す斜視図であり、トレーを手前に引き出した状態を示している。
【図２】図１の衣装ケースにおいて、トレーを取り外した状態を示し、外ケースと左右のレールプレートを示す分解斜視図である。
【図３】図１の衣装ケースのトレーを底面側から見た斜視図である。
【図４】図１の衣装ケースにおいて、トレーを収納した状態の縦断面図であり、図１におけるＸ−Ｘ断面図である。
【図５】図１の衣装ケースにおいて、トレーを収納した状態の縦断面図であり、図１におけるＹ−Ｙ断面図である。
【符号の説明】
【００３７】
　１　トレー
　２　外ケース
　２ｅ　空間部
　３　レールプレート
　４　蓋
　５　スライド片
　６　レール
　９　ストッパー
【図１】
0003099678.tif 000003
【図２】
0003099678.tif 000004
【図３】
0003099678.tif 000005
【図４】
0003099678.tif 000006
【図５】
0003099678.tif 000007